(57)【要約】【課題】  ユーザが多くのコンピュータを並行して取扱う際、第三者が不正にデータを取扱うことを防止する。【解決手段】  受信装置１０は、複数のコンピュータに情報を入力するマウス５０から、製造番号および任意の情報を受信するデータ受信部１２と、情報を受付けるマウスの製造番号を記憶するための記憶部１９と、データ受信部１２が受信した製造番号が、情報を受付けるマウスの製造番号に一致するか否かを判断する操作選択部１６と、操作選択部１６が、データ受信部１２が受信した製造番号は情報を受付けるマウスの製造番号に一致すると判断した場合、データ受信部１２が受信した任意の情報をコンピュータに出力する操作制御部１８と含む。【選択図】        図３
2006072916.tif 000002
【特許請求の範囲】
【請求項１】
複数のコンピュータに情報を入力する入力用の機器から、前記機器の製造番号を表わす情報および任意の情報を受信するための受信手段と、
情報を受付ける機器の製造番号を表わす情報を記憶するための記憶手段と、
前記受信手段が受信した機器の製造番号を表わす情報が、前記情報を受付ける機器の製造番号を表わす情報に一致するか否かを判断するための判断手段と、
前記判断手段が、前記受信手段が受信した製造番号を表わす情報は前記情報を受付ける機器の製造番号を表わす情報に一致すると判断した場合、前記受信手段が受信した任意の情報をコンピュータに出力するための出力手段とを含む、受信装置。
【請求項２】
複数のコンピュータに情報を入力する入力用の機器から、前記機器に固有の情報および任意の情報を受信するための受信手段と、
情報を受付ける機器に固有の情報を記憶するための記憶手段と、
前記受信手段が受信した機器に固有の情報が、前記情報を受付ける機器に固有の情報に一致するか否かを判断するための判断手段と、
前記判断手段が、前記受信手段が受信した機器に固有の情報は前記情報を受付ける機器に固有の情報に一致すると判断した場合、前記受信手段が受信した任意の情報をコンピュータに出力するための出力手段とを含む、受信装置。
【請求項３】
前記機器に固有の情報は、機器の製造時に決まる情報を含む、請求項２に記載の受信装置。
【請求項４】
前記製造時に決まる情報は、製造番号を表わす情報を含む、請求項３に記載の受信装置。
【発明の詳細な説明】
【技術分野】
【０００１】
本発明は、受信装置に関し、特に、複数のユーザが複数のパーソナルコンピュータ（以下「ＰＣ」と称する）を並行して取扱う際、各ユーザが用いる入力装置からの情報を受信する受信装置に関する。
【背景技術】
【０００２】
特許文献１には、マウス本体に送信器を取付けた（マウスボールは排除されている）コードレスマウスが開示されている。パソコン本体は、マウスの送信器が発信した電波の指向性を解析することにより、マウスの位置や移動の方向を認識する。この発明によると、マウスの移動のための平面のスペースを不要とすることができる。
【０００３】
特許文献２には、送信データに送信先装置番号と送信元装置番号とを付加することにより、コンピュータが自己へ送信されたデータか否かの判断できる制御方法が開示されている。この発明によると、１台のコードレスマウスで、複数のコンピュータを操作することができる。
【０００４】
特許文献３には、カーソルの座標を他のマシンに送信する切替装置が開示されている。切替装置が送信する座標は、カーソルが表示画面の端部にあることを表わす座標である。切替装置は、カーソルが上述の端部の逆側にある端部に到達したことをトリガとして、座標を送信する。この発明によると、１つのポインティングデバイス（マウスなど）を用いて複数のマシンを操作することができる。
【０００５】
特許文献４は、ダイヤル式の切換スイッチ（マウスに設けられている）を切換えることにより、切換に対応した相手端末と通信する入力装置を開示する。キーボードも、切換に対応した相手端末と通信する。この発明によると、複数のコンピュータに対して入力装置を１つとすることができる。これにより、スペースを有効に活用し、資源を有効に利用し、かつ操作性を向上することができる。
【０００６】
特許文献５は、キーボードからのユーザの入力を、キーボードに取付られたスイッチで選択したコンピュータに送信する入力装置を開示する。この発明によると、入力装置とコンピュータとの間の配線の手間、および設置場所の制限をなくすことができる。
【０００７】
しかし、特許文献１に開示された発明および特許文献２に開示された発明では、コンピュータのセキュリティについて改善の余地があるという問題点がある。
【０００８】
特許文献３に開示された発明、特許文献４に開示された発明、および特許文献５に開示された発明では、複数のユーザが複数のＰＣを並行して操作することに適していないという問題点がある。
【特許文献１】特開平９−２８２０９３号公報
【特許文献２】特開平１０−１１６１５１号公報
【特許文献３】特開平１１−９５９３１号公報
【特許文献４】特開平１１−２７２４０９号公報
【特許文献５】特開２０００−２７６２６９号公報
【発明の開示】
【発明が解決しようとする課題】
【０００９】
本発明は上述の問題点を解決するためになされたものであって、その目的は、ユーザが多くのコンピュータを並行して取扱う際、第三者が不正にデータを取扱うことを防止できる受信装置を提供することにある。
【課題を解決するための手段】
【００１０】
上記目的を達成するために、本発明のある局面にしたがうと、受信装置は、複数のコンピュータに情報を入力する入力用の機器から、機器の製造番号を表わす情報および任意の情報を受信するための受信手段と、情報を受付ける機器の製造番号を表わす情報を記憶するための記憶手段と、受信手段が受信した機器の製造番号を表わす情報が、情報を受付ける機器の製造番号を表わす情報に一致するか否かを判断するための判断手段と、判断手段が、受信手段が受信した製造番号を表わす情報は情報を受付ける機器の製造番号を表わす情報に一致すると判断した場合、受信手段が受信した任意の情報をコンピュータに出力するための出力手段とを含む。
【００１１】
すなわち、出力手段は、受信手段が受信した機器の製造番号を表わす情報が、情報を受付ける機器の製造番号を表わす情報に一致する場合、受信手段が受信した任意の情報を出力する。製造番号を通信させることは容易である。機器の製造後、製造番号の不正な利用を困難にすることも容易である。通信させやすく、かつ利用し難いので、第三者が製造番号を不正に利用することをより容易に防止できる。これにより、第三者が不正にデータを取扱うこともより容易に防止できる。その結果、ユーザが多くのコンピュータを並行して取扱う際、第三者が不正にデータを取扱うことをより容易に防止できる受信装置を提供することができる。
【００１２】
本発明の他の局面にしたがうと、受信装置は、複数のコンピュータに情報を入力する入力用の機器から、機器に固有の情報および任意の情報を受信するための受信手段と、情報を受付ける機器に固有の情報を記憶するための記憶手段と、受信手段が受信した機器に固有の情報が、情報を受付ける機器に固有の情報に一致するか否かを判断するための判断手段と、判断手段が、受信手段が受信した機器に固有の情報は情報を受付ける機器に固有の情報に一致すると判断した場合、受信手段が受信した任意の情報をコンピュータに出力するための出力手段と含む。
【００１３】
すなわち、出力手段は、受信手段が受信した機器に固有の情報が、情報を受付ける機器に固有の情報に一致する場合、受信手段が受信した任意の情報を出力する。これにより、第三者が不正にデータを取扱うことを防止できる。その結果、ユーザが多くのコンピュータを並行して取扱う際、第三者が不正にデータを取扱うことを防止できる受信装置を提供することができる。
【００１４】
また、上述の機器に固有の情報は、機器の製造時に決まる情報を含むことが望ましい。
【００１５】
すなわち、出力手段は、受信手段が受信した機器の製造時に決まる情報が、情報を受付ける機器の製造時に決まる情報に一致する場合、受信手段が受信した任意の情報を出力する。製造時に決まる番号を製造後に解読し難くすることは容易である。解読し難いので、第三者が製造番号を不正に利用することを容易に防止できる。これにより、第三者が不正にデータを取扱うことも容易に防止できる。その結果、ユーザが多くのコンピュータを並行して取扱う際、第三者が不正にデータを取扱うことを容易に防止できる受信装置を提供することができる。
【００１６】
また、上述の製造時に決まる情報は、製造番号を表わす情報を含むことが望ましい。
【００１７】
すなわち、出力手段は、受信手段が受信した機器の製造番号を表わす情報が、情報を受付ける機器の製造番号を表わす情報に一致する場合、受信手段が受信した任意の情報を出力する。製造番号を通信させることは容易である。機器の製造後、製造番号の不正な利用を困難にすることも容易である。通信させやすく、かつ利用し難いので、第三者が製造番号を不正に利用することをより容易に防止できる。これにより、第三者が不正にデータを取扱うこともより容易に防止できる。その結果、ユーザが多くのコンピュータを並行して取扱う際、第三者が不正にデータを取扱うことをより容易に防止できる受信装置を提供することができる。
【発明の効果】
【００１８】
本発明に係る受信装置は、ユーザが多くのコンピュータを並行して取扱う際、第三者が不正にデータを取扱うことを防止できる。
【発明を実施するための最良の形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
図１を参照して、本実施の形態に係る入力システムは、受信装置１０と、キーボード用送信器４０と、マウス５０とを含む。受信装置１０は、キーボード用送信器４０およびマウス５０のいずれかが送信した信号を受信する。受信装置１０は、キーボード用送信器４０およびマウス５０のいずれかから受信した信号を第１コンピュータ２０または第２コンピュータ３０に出力する装置である。受信装置１０が第１コンピュータ２０または第２コンピュータ３０に信号を出力することにより、マウス５０およびキーボード７０（キーボード用送信器４０が取付けられている）のいずれかが操作するＰＣが切換えられる。キーボード用送信器４０は、受信装置１０に信号を送信する。マウス５０は、受信装置１０に信号を送信する。シート６０は、キーボード用送信器４０およびマウス５０にキーボード用送信器４０やマウス５０自身が置かれた位置の座標を読取らせる。
【００２１】
図２は、本実施の形態に係る受信装置１０、第１コンピュータ２０（第１モニタ２６を接続している）、および第２コンピュータ３０（第２モニタ３６を接続している）を示す正面図である。本実施の形態において、第１コンピュータ２０および第２コンピュータ３０には、受信装置１０から情報が出力される。
【００２２】
図３を参照して、受信装置１０は、データ受信部１２と、信号解析部１４と、ＬＥＤ  （Light Emitting Diode）１５と、操作選択部１６と、操作制御部１８と、記憶部１９とを含む。データ受信部１２は、キーボード用送信器４０のデータ送信部４２およびマウス５０のデータ送信部５２から信号を受信する。信号解析部１４は、データ受信部１２が受信した信号を解析する。ＬＥＤ１５は、発光することによってＰＣへ情報を入力できることを明示する。ユーザは、ＬＥＤ１５の色により、次のことを知ることができる。その第１は、マウス５０が受付けた情報のみが出力されるということである。その第２は、キーボード７０が受付けた情報のみが出力されるということである。その第３は、マウス５０が受付けた情報およびキーボード７０が受付けた情報がともに出力されるということである。操作選択部１６は、信号解析部１４が解析した信号に応じてＰＣの操作を許可するか否か選択する。操作制御部１８は、ＰＣに出力する情報を制御する。記憶部１９は、操作選択部１６および操作制御部１８がＰＣの操作を許可するか否か選択したり情報を出力したりするために必要な情報を記憶する。記憶部１９は、情報を受付ける入力用の機器（キーボード用送信器４０やマウス５０）に固有の情報（すなわち製造番号）を記憶する回路でもある。本実施の形態の場合、記憶部１９は、受信装置１０の製造時に、予め「固有の情報」を記憶している。本実施の形態の場合、入力用の機器（既に「固有の情報」が記憶部１９に記憶された機器に限る）が「固有の情報」および「固有の情報」の追加を求める旨の信号を送信した場合、操作選択部１６は、送信された「固有の情報」の受付を許可する。記憶部１９は、操作選択部１６が受付を許可した「固有の情報」を記憶する。本実施の形態の場合、記憶部１９が「固有の情報」を新たに記憶するための一連の処理は、バッチファイルとして記憶部１９自身に記憶されている。
【００２３】
図３を参照して、キーボード用送信器４０は、データ送信部４２と、送信制御部４４と、記憶部４５と、位置認識部４６と、入力端子４８とを含む。図４に、キーボード用送信器４０の外観を示す。キーボード用送信器４０は、キーボード７０の端に固着する。本実施の形態の場合、固着は接着剤により実現される。これにより、キーボード用送信器４０およびキーボード７０は一体となる。データ送信部４２は、受信装置１０に信号を送信する。データ送信部４２は、受信装置１０に相対するように設けられている。送信制御部４４は、キーボード用送信器４０の各部を制御する。送信制御部４４は、受信装置１０に送信する信号を生成する部分でもある。記憶部４５は、送信制御部４４が信号を生成するために必要な情報を記憶する。位置認識部４６は、キーボード用送信器４０（ひいてはキーボード７０）の相対座標を検知する。位置認識部４６は、下向きに設けられている。入力端子４８は、キーボード７０が取得した情報の入力を受付ける。本実施の形態の場合、入力端子４８は、コネクタ（このコネクタは、本来ＰＣに直接差込むはずのコネクタである）が差込まれることにより、情報の入力を受付けることができる。
【００２４】
図３を参照して、マウス５０は、データ送信部５２と、送信制御部５４と、ボタン５５と、記憶部５６と、位置認識部５８とを含む。データ送信部５２は、受信装置１０に信号を送信する。送信制御部５４は、マウス５０の各部を制御する。送信制御部５４は、受信装置１０に送信する信号を生成する部分でもある。ボタン５５は、情報の入力を受付ける。記憶部５６は、送信制御部５４が信号を生成するために必要な情報を記憶する。位置認識部５８は、マウス５０の相対座標を検知する。
【００２５】
図５を参照して、入力システムで実行されるプログラムは、情報の受信の許可に関し、以下のような制御構造を有する。
【００２６】
ステップ１００（以下、ステップをＳと略す。）にて、キーボード用送信器４０の送信制御部４４は、認識用の情報をデータ送信部４２に出力する。情報が出力されると、データ送信部４２は、送信制御部４４が出力した情報を受信装置１０のデータ受信部１２に送信する。図６を参照して、本実施の形態における、キーボード用送信器４０、マウス５０、および受信装置１０が通信する際の信号のフォーマットを説明する。このフォーマットは、ＩＤ（Identity）エリア８０と、識別番号エリア８２と、端末種別エリア８４と、位置情報エリア８６とを含む。ＩＤエリア８０は、キーボード用送信器４０やマウス５０にそれぞれ付された製造番号を表わす情報を記憶する。製造番号を表わす情報を記憶させるのは、製造番号を表わす情報が入力用の機器（キーボード用送信器４０やマウス５０）の製造時に決まる情報だからである。本実施の形態の場合、実際にＩＤエリア８０に製造番号が記憶されるのは、キーボード用送信器４０やマウス５０が受信装置１０に認識用の情報を送信するときのみである。識別番号エリア８２は、キーボード用送信器４０およびマウス５０それぞれを識別する識別番号を記憶する。本実施の形態において、キーボード用送信器４０は、それぞれディップスイッチ（図示せず）を内蔵する。識別番号は、ディップスイッチの設定により決定される。これにより、汎用のキーボードを用いて本実施の形態に係る入力システムを実現できる。マウス５０も、ディップスイッチ（図示せず）を内蔵する。マウス５０の識別番号も、ディップスイッチの設定により決定される。端末種別エリア８４は、送信元がキーボード用送信器４０およびマウス５０のいずれであるかを識別する情報を記憶する。位置情報エリア８６は、送信元（キーボード用送信器４０およびマウス５０のいずれか）の移動量および移動の方向を記憶する。本実施の形態において、移動量および移動の方向を通信しない場合、位置情報エリア８６は、マウス５０が取得した情報やキーボード７０が取得した情報を記憶する。マウス５０の送信制御部５４も、認識用の情報をデータ送信部５２に出力する。具体的な内容はキーボード用送信器４０の場合と同一である。情報が出力されると、データ送信部５２は、送信制御部５４が出力した情報を受信装置１０のデータ受信部１２に送信する。キーボード用送信器４０およびマウス５０のいずれかから認識用の情報が送信されると、データ受信部１２は、複数のＰＣに情報を入力できる入力用の機器であるキーボード用送信器４０およびマウス５０のいずれかから、製造番号を表わす読出し専用の情報を受信する。情報が受信されると、データ受信部１２は、受信した情報を信号解析部１４に出力する。信号解析部１４は、データ受信部１２が出力した情報を解析する。信号解析部１４は、解析した結果を操作選択部１６に出力する。操作選択部１６は、信号解析部１４が出力した結果（図６に示すフォーマットの信号を受信したか否かの結果）から、キーボード用送信器４０（キーボード７０）やマウス５０が「区域」に入ってきたか否か（受信装置１０が信号を受信できる区域内にマウス５０およびキーボード７０のいずれかがあるか否か）を判断する。「区域」に入ってきたと判断した場���（Ｓ１００にてＹＥＳ）、処理はＳ１０１へと移される。もしそうでないと（Ｓ１００にてＮＯ）、処理はＳ１１０へと移される。
【００２７】
Ｓ１０１にて、操作選択部１６は、ＩＤエリア８０に含まれた製造番号を表わす情報が、情報を受付けるマウス５０やキーボード７０の製造番号を表わす情報（製造番号を表わす情報は記憶部１９に記憶されている）に一致するか否かを判断する。一致すると判断した場合（Ｓ１０１にてＹＥＳ）、処理はＳ１０２へと移される。もしそうでないと（Ｓ１０１にてＮＯ）、処理はメインルーチン（図示せず）に復帰する。
【００２８】
Ｓ１０２にて、受信装置１０、キーボード用送信器４０、およびマウス５０は、キーボード用送信器４０（またはマウス５０）の移動量および移動の方向を通信する。本実施の形態の場合、この通信は、Ｓ１００の通信が終了した後、一定時間（本実施の形態の場合、この時間は「１秒」とする）経過した後に実施される。操作選択部１６は、信号解析部１４が解析した結果から、キーボード用送信器４０（キーボード７０）およびマウス５０のいずれかの位置が一定時間固定されているか否かを判断する。固定されていると判断した場合（Ｓ１０２にてＹＥＳ）、処理はＳ１０４へと移される。もしそうでないと（Ｓ１０２にてＮＯ）、処理はＳ１０６へと移される。
【００２９】
Ｓ１０４にて、操作選択部１６は、移動量および移動の方向を送信したキーボード用送信器４０（ひいてはキーボード７０）およびマウス５０のいずれかからの、情報を受付けるべき旨の信号を操作制御部１８に出力する。操作制御部１８は、自己の内部にあるフラグを変更することにより、移動量および移動の方向を送信したキーボード用送信器４０（ひいてはキーボード７０）およびマウス５０のいずれかからの情報の受付を開始する。あわせて、操作制御部１８は、ＬＥＤ１５を点灯させる。ＬＥＤ１５が点灯すると、データ受信部１２は、入力端子４８がキーボード７０から（マウス５０が情報を送信する場合はボタン５５から）別途受付けた情報（すなわちキーボード７０またはマウス５０が取得した情報）を受信する。情報が受信されると、データ受信部１２は、受信した情報を信号解析部１４に出力する。信号解析部１４は、データ受信部１２が出力した情報を解析する。信号解析部１４は、解析した情報を操作選択部１６に出力する。操作選択部１６は、信号解析部１４が出力した情報を操作制御部１８に出力する。操作制御部１８は、コンピュータに情報を出力する。
【００３０】
Ｓ１０６にて、受信装置１０、キーボード用送信器４０、およびマウス５０は、Ｓ１００と同様にして、相対座標を通信する。相対座標が通信されると、操作選択部１６は、信号解析部１４が解析した結果から、キーボード用送信器４０（キーボード７０）またはマウス５０の位置が、元の位置に戻った（本実施の形態の場合、マウス５０およびキーボード７０のいずれかが、受信装置１０が信号を受信できる区域外に出たことをいう）か否かを判断する。元の位置に戻ったと判断した場合（Ｓ１０６にてＹＥＳ）、処理はＳ１０８へと移される。もしそうでないと（Ｓ１０６にてＮＯ）、処理はメインルーチン（図示せず）に復帰する。
【００３１】
Ｓ１０８にて、操作選択部１６は、相対座標を送信したキーボード用送信器４０（ひいてはキーボード７０）およびマウス５０のいずれかからの、情報を受付けるべきでない旨の信号を操作制御部１８に出力する。操作制御部１８は、自己の内部にあるフラグを変更することにより、相対座標を送信したキーボード用送信器４０（ひいてはキーボード７０）およびマウス５０のいずれかからの情報を無視する。
【００３２】
Ｓ１１０にて、操作選択部１６は、相対座標を送信したキーボード用送信器４０（ひいてはキーボード７０）およびマウス５０のいずれかからの、情報を受付けるべきでない旨の信号を操作制御部１８に出力する。操作制御部１８は、自己の内部にあるフラグを変更することにより、相対座標を送信したキーボード用送信器４０（ひいてはキーボード７０）およびマウス５０のいずれかからの情報を無視する。
【００３３】
以上のような構造およびフローチャートに基づく、入力システムの動作について説明する。
【００３４】
第１コンピュータ２０の区域にあったキーボード７０が、ユーザによりいったん持ち上げられ、第２コンピュータ３０の区域に移されたとする。キーボード用送信器４０の送信制御部４４は、認識用の情報を出力する。情報が出力されると、データ送信部４２は、送信制御部４４が出力した情報を受信装置１０のデータ受信部１２に送信する。マウス５０の送信制御部５４も、認識用の情報をデータ送信部５２に出力する。
【００３５】
情報が出力されると、データ送信部５２は、送信制御部５４が出力した情報を受信装置１０のデータ受信部１２に送信する。キーボード用送信器４０およびマウス５０のいずれかから認識用の情報が送信されると、操作選択部１６は、図６に示すフォーマットの信号を受信したか否かの結果から、キーボード用送信器４０（キーボード７０）が「区域」に入ってきたか否かを判断する（Ｓ１００）。この場合、「区域」に入ってきたと判断されるので（Ｓ１００にてＹＥＳ）、操作選択部１６は、ＩＤエリア８０に含まれた製造番号を表わす情報が、情報を受付けるキーボード７０の製造番号を表わす情報（製造番号を表わす情報は記憶部１９に記憶されている）に一致するか否かを判断する（Ｓ１０１）。一致すると判断されると（Ｓ１０１にてＹＥＳ）、受信装置１０およびキーボード用送信器４０（キーボード７０）は、キーボード用送信器４０（キーボード７０）の移動量および移動の方向を通信する。操作選択部１６は、移動量および移動の方向から、キーボード用送信器４０（キーボード７０）の位置が一定時間固定されているか否かを判断する（Ｓ１０２）。
【００３６】
固定されていると判断されると（Ｓ１０２にてＹＥＳ）、操作制御部１８は、移動量および移動の方向を送信したキーボード用送信器４０（ひいてはキーボード７０）からの情報の受付を開始する。あわせて、データ受信部１２は、入力端子４８がキーボード７０から（マウス５０が情報を送信する場合はボタン５５から）別途受付けた情報（すなわちキーボード７０またはマウス５０が取得した情報）を受信する。情報が受信されると、操作制御部１８は、コンピュータに情報を出力する（Ｓ１０４）。これにより、操作制御部１８は、操作選択部１６が、製造番号を表わす情報は情報を受付けるキーボード７０の製造番号を表わす情報に一致すると判断した場合、データ受信部１２が受信した任意の情報をＰＣに出力することとなる。
【００３７】
以上のようにして、本実施の形態に係る受信装置は、マウスやキーボードがある物理的な位置にあることに応じて、情報の入力を受付ける。ユーザが自分用のマウスやキーボードを持っていれば、多くのコンピュータを並行して取扱うことができる。取扱うコンピュータを変更することに煩雑さはない。本実施の形態に係る受信装置は、認証のために製造番号を受信する。製造番号はマウスやキーボードなどの機器の製造時に決まる。製造時に決まる情報は、製造後にユーザなどが設定する情報に比べ、不正な利用を容易に困難化できる。製造後にユーザなどが設定する情報に比べ、情報を改変することを容易に困難化できるからである。これにより、第三者が不正にデータを取扱うことを容易に困難化できる。その結果、ユーザが多くのコンピュータを並行して取扱う際、入力装置を少なくでき、かつ第三者が不正にデータを取扱うことを防止できる受信装置を提供することができる。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】本発明の実施の形態に係る入力システム、第１コンピュータ、および第２コンピュータの平面図である。
【図２】本発明の実施の形態に係る入力システム、第１コンピュータ、および第２コンピュータの正面図である。
【図３】本発明の実施の形態に係る入力システムの制御ブロック図である。
【図４】本発明の実施の形態に係るキーボード用送信器の外観図である。
【図５】本発明の実施の形態に係る情報の受信の許可処理の制御の手順を示すフローチャートである。
【図６】本発明の実施の形態に係る通信のフォーマットを表わす図である。
【符号の説明】
【００４０】
１０  受信装置、１２  データ受信部、１４  信号解析部、１５  ＬＥＤ、１６  操作選択部、１８  操作制御部、１９，４５，５６  記憶部、２０  第１コンピュータ、２６  第１モニタ、３０  第２コンピュータ、３６  第２モニタ、４０  キーボード用送信器、４２，５２  データ送信部、４４，５４  送信制御部、４６，５８  位置認識部、４８  入力端子、５０  マウス、５５  ボタン、７０  キーボード、８０  ＩＤエリア、８２  識別番号エリア、８４  端末種別エリア、８６  位置情報エリア。
【図１】
2006072916.tif 000003
【図２】
2006072916.tif 000004
【図３】
2006072916.tif 000005
【図４】
2006072916.tif 000006
【図５】
2006072916.tif 000007
【図６】
2006072916.tif 000008